(57)【要約】【課題】  給送パスを短くしても的確な原稿サイズの検出を可能とし、またセンサの数を少なくして、装置の小型化及び低コスト化を図ることができる自動原稿送り装置を提供する。【解決手段】  原稿載置部２に載置された原稿Ｄを、繰出し、１枚ずつ分離しつつレジストローラ６でレジスト搬送してその給送パス５下流側の読取部Ｐ１に給送する自動原稿送り装置１であって、上記レジストローラ６上流側近傍において給送原稿を検出するレジストセンサ２２と、このレジストセンサ２２の検出信号に基づきレジストローラ６のオン・オフ制御をなすと共に給送原稿Ｄの長さを判定する制御手段２５とを備えたことを特徴とする。【選択図】        図１
2005075590.tif 000002
【特許請求の範囲】
【請求項１】
原稿載置部に載置された原稿を、繰出し、１枚ずつ分離しつつレジストローラでレジスト搬送してその給送パス下流側の読取部に給送する自動原稿送り装置であって、
上記レジストローラの上流側近傍において給送原稿を検出するレジストセンサと、このレジストセンサの検出信号に基づきレジストローラのオン・オフ制御をなすと共に給送原稿の長さを判定する制御手段とを備えたことを特徴とする自動原稿送り装置。
【請求項２】
上記制御手段は、レジストセンサによる給送原稿の先端検出に基づくレジストローラの駆動開始からレジストセンサによる給送原稿の後端検出までの経過時間とレジストローラの周速度との積に、レジストセンサ及びレジストローラ間の距離を加算することにより原稿長さの判定をすることを特徴とする請求項１に記載の自動原稿送り装置。
【請求項３】
上記読取部の上流側近傍には、給送原稿の先端検出に基づき読取部の読取り開始制御をさせる為のリードセンサが配設され、上記レジストセンサ及びこのリードセンサ間の上記給送パスに沿った距離が、少なくとも最大原稿長さの１／２に相当する長さであることを特徴とする請求項１又は２に記載の自動原稿送り装置。
【発明の詳細な説明】
【技術分野】
【０００１】
本発明は、原稿を搬送しながらその画像を読取る所謂シートスルータイプの画像読取装置における自動原稿送り装置に関し、更に詳しくは、短い給送パスでありながら的確に給送原稿のサイズを検出し得る原稿サイズ検出手段を備えた自動原稿装置に関する。
【背景技術】
【０００２】
一般に、電子写真複写機やファクシミリ装置においては、原稿トレーにセットされた原稿を１枚ずつ分離して読取部に連続供給する自動原稿送り装置（ＡＤＦ装置）を備えている。そして、原稿画情報の読取方式としては、ＡＤＦ装置の原稿搬送路の途中に読取部を配置して原稿を搬送しながら読取る方式と、読取光学系がプラテンガラス上に載置された原稿の下面を移動しながら読取り走査するフラットベットスキャナ（ＦＢＳ）方式とを併用したものも広く採用されるようになった。このような装置において、自動送り原稿を読取る際には、上記読取光学系が原稿搬送路の途中の読取ポイントに移動して静止し、搬送される原稿の画情報を逐次読取る。
【０００３】
そして、上記のようなＡＤＦ装置においては、原稿の給送（搬送）パス上に配設されたシート幅検出手段と、リードセンサとにより給送中原稿のサイズが検出され、この検出情報に基づき、読取装置その他関連機器の制御がなされる。このような原稿サイズ検出手段を備えたＡＤＦ装置においては、原稿の搬送パス上に、原稿分離手段直後のサイズセンサと、シート（原稿）幅検出手段と、読取位置の上流側において所定時間におけるシート（原稿）の先端を検出するリードセンサとを設け、リードセンサのオン時におけるサイズセンサのオン・オフ状態とシート幅検出手段によるシート幅情報に基づき、給送中のシートサイズを推定するようになされている（例えば、特許文献１を参照）。
【特許文献１】特開平０８−１３３５５１号公報
【発明の開示】
【発明が解決しようとする課題】
【０００４】
上記特許文献１に開示されたようなＡＤＦ装置においては、原稿（シート）の搬送パス方向に沿った長さの判定は、実質上センサによる原稿先端の検知情報と同原稿後端の検知情報に基づきなされるが、この両センサによる原稿の先端・後端検出は、原稿のページ間隔が確保される原稿分離手段（さばき手段）の下流側で行われる必要がある。そして、この両センサ間の搬送パスに沿った距離は、汎用の定格用紙全てのサイズ検出が可能なように、最大原稿長さの１／２以上を必要とする。一般には、最大原稿はＡ３サイズであるので、その長さの１／２、即ち２１０ｍｍ以上の間隔を、上記原稿分離手段から読取部までの搬送パスにおいて確保しなければならず、このような長い搬送パスの確保が、装置を小型化する上で障害ともなっていた。また、搬送パスに沿って原稿サイズ検出専用のセンサを複数種配設する必要があり、コスト上の改善の余地も残されていた。
【０００５】
本発明は上記のような実情に鑑みなされたものであり、給送パスを短くしても的確な原稿サイズの検出を可能とし、またセンサの数を少なくして装置の小型化及び低コスト化を図ることができる自動原稿送り装置を提供するものである。
【課題を解決するための手段】
【０００６】
請求項１の発明に係る自動原稿送り装置は、原稿載置部に載置された原稿を、繰出し、１枚ずつ分離しつつレジストローラでレジスト搬送してその給送パス下流側の読取部に給送する自動原稿送り装置であって、上記レジストローラの上流側近傍において給送原稿を検出するレジストセンサと、このレジストセンサの検出信号に基づきレジストローラのオン・オフ制御をなすと共に給送原稿の長さを判定する制御手段とを備えたことを特徴とする。
【０００７】
請求項２の発明は、上記制御手段が、レジストセンサによる給送原稿の先端検出に基づくレジストローラの駆動開始からレジストセンサによる給送原稿の後端検出（レジストセンサがオフ）までの経過時間とレジストローラの周速度との積に、レジストセンサ及びレジストローラ間の距離を加算することにより原稿長さの判定をすることを特徴とする。
【０００８】
請求項３の発明は、上記読取部の上流側近傍には、給送原稿の先端検出に基づき読取部の読取り開始制御をさせる為のリードセンサが配設され、上記レジストセンサ及びこのリードセンサ間の上記給送パスに沿った距離が、少なくとも最大原稿長さの１／２に相当する長さであることを特徴とする。
【０００９】
請求項１の発明によれば、レジストセンサによる給送原稿の検出信号に基づき、レジストローラのオン・オフ制御がなされる上に、給送原稿の長さが判定されるから、従来のように原稿サイズ検出の為の専用のサイズセンサが不要とされ、また、それを配設する為のスペースを確保する必要がないから、その分給送パスを短くすることができ、装置の低コスト化及びコンパクト化が図られる。そして、このようなレジストローラのオン・オフ制御及び原稿長さの判定は、給送される原稿毎になされるから、原稿載置部に異なるサイズの原稿が所謂ミックススタックされている場合でも、原稿毎に的確なサイズ検出がなされ、夫々の原稿に応じた読取等の制御が適正になされる。
【００１０】
請求項２の発明によれば、レジストローラの周速度及びレジストセンサとレジストローラ間の距離は既知であるから、これらの演算処理により給送原稿の長さが簡易に算出される。この算出結果と、原稿幅検出情報との組合わせにより、原稿サイズの確定も行うことができる。
【００１１】
請求項３の発明によれば、給送原稿がこのリードセンサに至ったときには、当該原稿の後端が前記レジストセンサにより検出されたかどうかの情報及びその長さデータと、原稿幅の検出データとにより、原稿サイズを確定されることになるから、読取開始前に原稿サイズが確定し、この確定情報に基づき読取制御が給送原稿毎に的確になされる。
【発明を実施するための最良の形態】
【００１２】
以下に本発明の実施の形態について図面を参照して説明する。図１はファクシミリ装置や複写機、或いはファクシミリと複写の両機能を備えた所謂複合機におけるＡＤＦ１の要部の縦断面図を示すものである。
【実施例】
【００１３】
図例のＡＤＦ１は、シートものの原稿Ｄを１枚ずつ搬送しながら、その両面の画像を読み取って、それぞれデジタル信号として出力するための原稿送り装置として構成されている。ＡＤＦ１の原稿供給口部２ａには、原稿トレー２ｂが該原稿供給口部２ａに向かって下方に傾斜するよう着脱自在に装着され、この原稿供給口部２ａと原稿トレー２ｂとにより原稿載置部２が構成されている。原稿供給口部２ａ上には、原稿載置部２に堆積された原稿（用紙）Ｄを上層部より繰出すピックアップローラ３が配設され、このピックアップローラ３に引き続き、繰出された原稿を１枚ずつ分離して給送する原稿分離手段４が装備されている。該原稿分離手段４は、分離ローラ４ａとこの分離ローラ４ａの周体に弾接するよう付勢された分離パッド４ｂからなる。ピックアップローラ３で繰出された原稿は、分離ローラ４ａと分離パッド４ｂとの間に導入され、分離ローラ４ａの回転に伴う両者の紙に対する摩擦係数の差により１枚ずつ分離され、下流側に給送される。４ｃは、分離パッド４ｂを分離ローラ４ａの周体に弾接させる為の圧縮スプリングである。
【００１４】
上記原稿分離手段４により１枚ずつ分離された原稿は、Ｕターン状に形成された原稿搬送路（原稿給送パス）５に沿って順次配設されたレジストローラ６、第１搬送ローラ７及び第２搬送ローラ８によりレジスト搬送されて第１の読取ポイント（読取部）Ｐ１に至り、更に第３搬送ローラ９により第２の読取ポイントＰ２に給送され、排出ローラ１０により排出トレー１１に排出される。第１の読取ポイントＰ１にはプラテン１２が配置され、原稿が該プラテン１２上を通過する際、このプラテン１２の下部に待機された読取走査装置１３により原稿表面の画情報が逐次読み取られ、上記のようにデジタル信号として出力される。
【００１５】
この読取走査装置１３は、蛍光灯或いは冷陰極管からなる光源１３ａと、複数のミラー１３ｂ…と、集光レンズ１３ｃと、ＣＣＤ（電荷結合素子）１３ｄとよりなり、これらがユニット化され、キャリッジ１３ｅ上に搭載されている。光源１３ａからの照射光は、プラテン１２上の読取ポイントＰ１を通過する原稿により反射され、その後４個のミラー１３ｂ…で反射を繰り返し、集光レンズ１３ｃで集光され、ＣＣＤ１３ｄに入光する（１点鎖線の光路参照）。ＣＣＤ１３ｄでは、原稿の表面上に描かれた画情報が電気信号に変換され、デジタル信号として出力される。
【００１６】
図例の読取走査装置１３は、フラットベッドスキャナ（ＦＢＳ）にも兼用するよう構成されている。即ち、図示を一部省略したが、図１における破断部分の右側にはＦＢＳ部１４が連成されている。上記キャリッジ１３ｅは、図例ではＡＤＦ原稿の読取位置に静止された状態を示すが、ＦＢＳ原稿の読取時には、ＦＢＳ部１４内に移動し、ＦＢＳ部１４内をプラテンガラス１５の下面に沿って往復移動し、この往復移動の間、プラテンガラス１５上に載置された原稿の画情報が、読取走査装置１３によって上記同様に読み取られる。ＡＤＦ１、原稿トレー２ｂ及び排出トレー１１は一体化されてプラテンカバーを構成し、紙面奥側をヒンジ部（不図示）として上下に開閉可能とされている。従って、ＦＢＳ部１４にて原稿読み取りを行う際は、このプラテンカバーを開け、露見したプラテンガラス１５上に原稿を載置することによりなされる。
【００１７】
上記のように、第１の読取ポイントＰ１で表面画像が読み取られた原稿は、更に、第３搬送ローラ９により搬送されて第２の読取ポイントＰ２に至るが、この第２の読取ポイントＰ２は、搬送原稿の裏面側に配置された密着型イメージセンサ１６と、これに接触的に配置されたプラテンローラ１７との接触点とされる。すなわち、前記密着型イメージセンサ１６とプラテンローラ１７との間に導入される原稿は、プラテンローラ１７の回転により密着型イメージセンサ１６の読取面を摺接しながら給送され、この間原稿の裏面画像が密着型イメージセンサ１６により読取られ、電気信号に変換されてデジタル信号として出力される。
【００１８】
上記分離ローラ４ａ、レジストローラ６、第１〜第３搬送ローラ７〜９、プラテンローラ１７及び排出ローラ１０は、１個のモーター（不図示）を駆動源とし、適宜ギヤ或いはベルト等の伝達手段（同）を介し駆動伝達がなされ、また適宜電磁クラッチ（同）により個々にオン・オフ制御がなされるよう構成されている。
【００１９】
ピックアップローラ３は、分離ローラ４ａの駆動軸４ｄから駆動伝達されるよう構成される。これを略述すれば、該駆動軸４ｄにはトルクリミッタ（不図示）を介しフレーム３ａが上下揺動可能に取付けられ、このフレーム３ａの先側には支軸３ｂが軸回転可能に支持されている。上記駆動軸４ｄに取付けられたプーリー４ｅと、支軸３ｂに取付けられたプーリー３ｃとの間にベルト３ｄが張設されており、駆動軸４ｄの回転がプーリー４ｅ、ベルト３ｄ及びプーリー３ｃを介して支軸３ｂに伝達され、更にこの支軸３ｂの回転はワンウェイクラッチ（不図示）を介してピックアップローラ３に伝達されるようになされている。
【００２０】
斯く構成されたピックアップローラ３は、待機状態ではフレーム３ａをして上方に位置し、上記駆動軸４ｄが正回転（Ａ方向）すると、上記トルクリミッタの作用によりフレーム３ａが駆動軸４ｄを支点として下方に揺動する。この揺動はピックアップローラ３が原稿載置部２上に堆積された原稿Ｄの最上層部に押当した時に停止するが、駆動軸４ｄの引続く回転により、上記伝達系（プーリー４ｅ、ベルト３ｄ及びプーリー３ｃ）を介しピックアップローラ３が回転する。このように、駆動軸４ｄが正回転している間、ピックアップローラ３は堆積原稿Ｄの最上層部に押当されながら回転するので、原稿Ｄは最上層部より逐次繰出されて行く。そして、駆動軸４ｄが一旦停止し逆回転（反Ａ方向）すると、フレーム３ａがトルクリミッタの作用により上方に揺動し、その後の駆動軸４ｄの停止により、待機状態に静止保持される。
【００２１】
分離ローラ４ａは不図示のワンウェイクラッチを介し駆動軸４ｄから駆動伝達される。従って、駆動軸４ｄの正回転により、上記のようにピックアップローラ３から原稿Ｄが繰出され、繰出された原稿は分離ローラ４ａと分離パッド４ｂとの間に導入され、前記のように１枚ずつ分離されて下流側に給送される。分離ローラ４ａから給送された原稿Ｄは、レジストローラ６によりレジストされて更に下流側に搬送されるが、このレジストローラ６以降の各ローラ７、８、９、１７、１０の周速は、分離ローラ４ａ及びピックアップローラ３の周速より大とされ、分離ローラ４ａとレジストローラ６との間で原稿のページ間隔を確保するようになされている。従って、分離ローラ４ａから給送された原稿Ｄの先端がレジストローラ６に差し掛かるとその周速度差により、原稿に搬送負荷（引張力）が掛かるが、分離ローラ４ａ及びピックアップローラ３には上述のように不図示のワンウェイクラッチが組み込まれており、これにより両ローラ４ａ、３が空回転し、上記搬送負荷が緩和される。
【００２２】
レジストローラ６、第１〜第３搬送ローラ７、８、９及び排出ローラ１０には、夫々プレッシャーローラ６ａ、７ａ、８ａ、９ａ及び１０ａが対設され、原稿はこれらローラにニップされて搬送される。上記分離ローラ４ａとこれに連関するピックアップローラ３及びプレッシャーローラ６ａ、７ａは、ヒンジピン１８ａを支点として上下に開閉可能に枢着されたジャムアクセスカバー１８の内側に取付けられている。従って、第２搬送ローラ８に至るまでの原稿搬送路５で原稿ジャムが発生した場合は、このジャムアクセスカバー１８を開けることにより、分離パッド４ｂ、レジストローラ６、第１搬送ローラ７との間が開放されるので、ジャム原稿の取出しが容易に行える。
【００２３】
また、第２搬送ローラ８、第３搬送ローラ９、これらと対をなすプレッシャーローラ８ａ、９ａ、プラテンローラ１７及び排出ローラ１０は、ＡＤＦ１を含む前記プラテンカバーの機枠をなす機体フレーム１９及びこれに固定された筒状の中間インナーガイドフレーム２０に取付けられている。更に、密着型イメージセンサ１６及びプレッシャーローラ１０ａは、レジストローラ６の駆動軸６ｂに対し該駆動軸６ｂを支点として上下に開閉可能に枢着された中間フレーム２１に取付けられている。第３搬送ローラ９以降でのジャム時には、上記ジャムアクセスカバー１８を開けた上で中間フレーム２１を開ければ、密着型イメージセンサ１６とプラテンローラ１７との間、及び排出ローラ１０とプレッシャーローラ１０ａとのニップ関係が開放されるから、この部分でのジャム原稿の取出しが容易に行える。
【００２４】
分離ローラ４ａとレジストローラ６との間にレジストセンサ２２が、また、レジストローラ６と第１搬送ローラ７との間に原稿幅検出センサ２３が、更に第２搬送ローラ８の上流側近傍にはリードセンサ２４が、夫々配設されている。後記する制御手段２５（図３参照）は、分離ローラ４ａから給送された原稿の先端をレジストセンサ２２により検出すると、レジストセンサ２２とレジストローラ６との間の距離Ｌ１に基づき予め算出・設定された所定時間（原稿先端がレジストローラ６に到達するまで時間）の経過後にレジストローラ６を作動させる（前記電磁クラッチをオン）べく制御する。また、同制御手段２５は、リ−ドセンサ２４により給送原稿の先端が検出されると、第２搬送ローラ８を作動（同上）して読取ポイントＰにレジスト搬送すべく制御すると共に読取走査装置１３をこの原稿の給送に同期させて動作制御する。
【００２５】
上記レジストセンサ２２及びリードセンサ２４は、原稿幅検出センサ２３と共に給送原稿のサイズ検出手段を構成する。レジストセンサ２２の原稿検出位置と、リードセンサ２４による原稿先端検出位置との間の原稿搬送路（原稿給送パス）５に沿った距離Ｌは、最大原稿長さの１／２若しくは１／２よりやや大とされている。従って、最も汎用性の高いこの種読取装置では最大原稿サイズがＡ３であるので、上記Ｌは２１０ｍｍ若しくは２１０ｍｍよりやや大とされる。以下図２及び図３も参照して、この原稿サイズ検出手段について述べる。
【００２６】
図２において、原稿幅検出センサ２３は、原稿給送方向Ｂに直交する方向に併設された３個のフィラー型センサ２３ａ、２３ｂ、２３ｃから構成される。本実施形態では、原稿給送方向Ｂに向かって右辺側に各原稿を揃える例を示しているが、センタ揃え或いは左辺側揃えも除外するものではない。図２の例は、最大原稿サイズをＡ３としており、このようなセンサ配置においては、使用される原稿用紙が定格用紙である場合、レジストローラ６から給送される原稿の先端がこれらセンサ２３ａ、２３ｂ、２３ｃに作用することにより、以下のような原稿幅情報が得られる。尚、以下において（Ｔ）は上記原稿給送方向Ｂに沿った縦置きを、（Ｙ）は原稿給送方向Ｂに直交する横置きを、夫々意味する。
【００２７】
（１）センサ２３ａ、２３ｂ、２３ｃが全てオフの場合、原稿サイズはＢ５（Ｔ）若しくはそれ以下のサイズである。
（２）センサ２３ａがオン、２３ｂ、２３ｃがオフの場合、原稿サイズはＡ４（Ｔ）である。
（３）センサ２３ａ、２３ｂがオンで、２３ｃがオフの場合、原稿サイズはＢ４（Ｔ）若しくはＢ５（Ｙ）である。
（４）センサ２３ａ、２３ｂ、２３ｃが全てオンの場合、原稿サイズはＡ３（Ｔ）若しくはＡ４（Ｙ）である。
【００２８】
上記原稿幅の検出においては、ピックアップローラ３で繰出され、分離ローラ４ａで分離・給送される原稿は、前記のように周速度の大きいレジストローラ６によりレジスト搬送されるから、分離ローラ４ａの下流側では後続原稿との間にページ間隔が確保されることになり、従って、原稿幅検出センサ２３による検出は、給送される原稿毎になされる。そして、上記（３）（４）では、まだ原稿サイズが確定していないが、原稿後端がフィラー型のレジストローラ２２をオフとした時（レジストローラ２２から外れた時）或いは原稿先端がフィラー型の原稿先端検出センサ２４に至り、該センサ２４をオンとした時点でこれら不確定の原稿サイズが確定する。
【００２９】
即ち、原稿先端がレジストセンサ２２をオンとした後、上記所定時間経過後レジストローラ６の作動がオンとされ、同時にタイマー２２ａがスタートする。レジストローラ６によりレジスト搬送される原稿が、（３）のようにセンサ２３ａ、２３ｂをオンし、２３ｃをオフとする場合は、当該給送原稿はＢ４（Ｔ）若しくはＢ５（Ｙ）のいずれかであるが、その先端がリードセンサ２４に至る前に、その後端がレジストセンサ２２をオフとすると、上記ターマー２２ａがストップし、その経過時間ｔをＣＰＵ（制御手段）２５に出力する。ＣＰＵ２５は、この入力情報に基づき、当該原稿の長さを、ｖｔ＋Ｌ１（ｖはレジストローラ６の周速度）で算出する。
【００３０】
ここに、リードセンサ２４がオンとなる前に、レジストセンサ２２がオフとされているから、当該原稿長さ（ｖｔ＋Ｌ１）は最大原稿長さの１／２より小、即ち２１０ｍｍより小であり、従って、その原稿サイズはＢ５（Ｙ）原稿であると判定される。また、リードセンサ２４がオンとなった時点で、なおレジストセンサ２２がオフとなっていない場合は、原稿長さは２１０ｍｍ以上であることは明らかであるから、当該原稿のサイズはＢ４（Ｔ）であると判定される。この場合、リードセンサ２４がオンとなった時点で上記タイマー２２ａがストップし、リセットされる。
【００３１】
また、レジストローラ６によりレジスト搬送される原稿が、（４）のようにセンサ２３ａ、２３ｂ及び２３ｃをオンとする場合は、当該給送原稿はＡ３（Ｔ）若しくはＡ４（Ｙ）のいずれかであるが、その先端がリードセンサ２４に至ると略同時あるいは直後に、その後端がレジストセンサ２２をオフとすると、上記ターマー２２ａがストップし、その経過時間ｔをＣＰＵ（制御手段）２５に出力する。ＣＰＵ２５は、この入力情報に基づき、上記同様当該原稿の長さを、ｖｔ＋Ｌ１で算出する。
【００３２】
ここに、リードセンサ２４がオンとなる略同時あるいは直後に、レジストセンサ２２がオフとされるから、当該原稿長さ（ｖｔ＋Ｌ１）は最大原稿長さの１／２より小、即ち２１０ｍｍより小であり、従って、その原稿サイズはＡ４（Ｙ）原稿であると判定される。また、リードセンサ２４がオンとなった時点で、なおレジストセンサ２２がオフとなっていない場合は、原稿長さは２１０ｍｍ以上であることは明らかであるから、当該原稿のサイズはＡ３（Ｔ）であると判定される。この場合も、上記同様、リードセンサ２４がオンとなった時点で上記タイマー２２ａがストップし、リセットされる。
【００３３】
このように、レジストセンサ２２のオン・オフ情報、原稿幅検出センサ２３の検出情報及びリードセンサ２４のオン・オフ情報に基づき全ての給送原稿のサイズが的確に判定され、しかも、いずれの場合も、原稿先端が第２搬送ローラ８に導入される前にその原稿サイズが確定するから、この確定情報に基づき、ＣＰＵ２５によって、第２搬送ローラ８及び読取走査手段１３の作動制御が的確になされる。即ち、第１読取ポイントＰ１或いは第２読取ポイントＰ２においては、この確定した原稿サイズ情報に基づき適正な読取走査制御がなされ、或いは読取画情報の適正な出力制御がなされる。しかも、原稿サイズの確定は、原稿毎になされるから、原稿載置部２上に異なるサイズの原稿がミックススタックされていても、上記読取走査制御や読取画情報の出力制御が、原稿毎に適正になされる。更に、レジストセンサ２２が原稿サイズ検出に兼用されるから、原稿サイズ検出専用のセンサを少なくすることができ、その設置スペースを確保する必要がなく、これにより装置のコンパクト化を図ることができる。特に、図１のように、ＦＢＳ装置の一側辺部において原稿をＵターン搬送するよう構成し、原稿トレー２ｂの下に排出トレー１１を設けるようにしたＡＤＦ装置のように、原稿給送パス長さに制約がある場合には、その実効は極めて大である。また、上記計算式に基づき原稿の長さが正確に算出されるから、原稿幅検出センサによる検出情報とこの計算結果に基づき、定格サイズ以外のリーガルサイズやレターサイズの判定も的確になされる。
【００３４】
図１において、２６は原稿先端揃え用シャッタであり、待機状態の時には、原稿載置部２上に突出し、原稿トレー２ｂ上にセットされる原稿Ｄの先端を揃えることが可能とされている。このシャッタ２６は、レジストローラ６の回転に連動して上下揺動するリンク機構（一部図示省略）２７に設けられており、このリンク機構２７の上下揺動により原稿載置部２上に出没するよう構成されている。このように、レジストローラ６に機械的に連動させて、シャッタ２６を原稿載置部２上に出没させるようにしているから、ソレノイド等の高価な電気部品を用いることなく簡易に構成することができる。
【００３５】
尚、上記実施形態では、レジストセンサ２２、原稿幅検出センサ２３あるいはリードセンサ２４として、フィラー型のセンサを採用した例を示したが、これに限らず、その他の同様の機能を奏するセンサも採用可能である。また、ＡＤＦ装置として、両面読取用の例を示したが、片面読取のＡＤＦ装置にも本発明が適用され得ることは言うまでもない。更に、制御手段としてのＣＰＵ２５は、上記以外に装置各機構部の動作制御等も司るものであることは言うまでもない。
【図面の簡単な説明】
【００３６】
【図１】ＡＤＦと走査装置の要部を示す縦断面図である。
【図２】原稿幅検出センサによる原稿幅検出の態様を説明する概略的平面図である。
【図３】本発明装置の制御ブロック図である。
【符号の説明】
【００３７】
１    ＡＤＦ（自動原稿送り装置）
２    原稿載置部
５    原稿搬送路（給送パス）
６    レジストローラ
２２    レジストセンサ
２４    リードセンサ
２５    制御手段
Ｐ１    読取ポイント（読取部）
Ｌ      原稿先端検出センサと移動検出手段の原稿当接位置との距離
Ｌ１    レジストセンサ及びレジストローラ間の距離
【図１】
2005075590.tif 000003
【図２】
2005075590.tif 000004
【図３】
2005075590.tif 000005